(57)【要約】【課題】  ファスナーはコートやジャンパーに幅広く使用されているが、閉じる時に、目、手などの機能が低下したお年寄りなどは蝶棒の先端を挿入口に覗かせる事ができない為、使用が困難になり、閉じるのに時間がかかる。この点を軽減し、誰もが簡単に使用できるファスナーを提供する。【解決手段】  スライダーの連結柱と下翼を使用時の首側に延長して、蝶棒の導入部を二つの面から成る角がある形で設け、蝶棒の位置を決める時の目標が大きく、導入部が引き手を掴む指で隠れず、どの角度からでもよく見えるようにする事で、蝶棒を導入部に当て易くする。また、蝶棒位置決め時に進入角度がずれても、蝶棒が二つの面の何れかに当たると、面上を滑って角に位置決めされる為、蝶棒を前進させると誰もが容易に、蝶棒を挿入口に覗かせて挿入可能になり、簡単に使用できるファスナーになる。【選択図】図１
2009273852.tif 000002
【特許請求の範囲】
【請求項１】
ファスナーの開製品で、スライダーの連結柱と下翼を、閉じる時に動かす方、即ち、首側に延長して、延長した部分の連結柱と下翼とで構成する、上翼に隠れない蝶棒の導入部があることを特徴とする年配者が喜ぶファスナー。
【請求項２】
連結柱を延長した部分の高さを高くすることを特徴とする請求項１に記載の年配者が喜ぶファスナー。
【請求項３】
上翼の一部を閉じる時に動かす方、即ち、首側に延長することを特徴とする請求項１に記載の年配者が喜ぶファスナー。
【発明の詳細な説明】
【技術分野】
【０００１】  この発明は衣服に使用するファスナーの開製品で、スライダーに関するものである。
【背景技術】
【０００２】  ファスナーの開製品は老若男女の衣服に幅広く使用されている。衣服を着て閉じる時はスライダーを箱につくまで下げてから、蝶棒をスライダーの蝶棒挿入口に挿入し、スライダーの引手を引き上げるのが、一般的な使用方法であるが、目、手などの機能が低下したお年寄りなどはスライダーの蝶棒挿入口（以下、挿入口と言う）に蝶棒の先端を覗かせる事ができない等の理由で、使用が困難になり、ファスナーの保温性の良さなどを認識しつつも、使用を敬遠する場合がある。【０００３】  蝶棒の先端を覗かせる事を容易にする為に、挿入口に各種の面取りや、上翼、下翼の端を薄くする等して、挿入口を大きくする工夫がされているが、大き過ぎると衣服がくい込み易くなり、その大きさは限定的である。蝶棒の挿入にかかわる基本形状は長年変わっていない。
【発明の開示】
【発明が解決しようとする課題】
【０００４】  蝶棒を挿入口に覗かせる事ができないのは、蝶棒の先端が連結柱、上翼、下翼等に当たる為で、主な原因はスライダーの挿入口に対する、蝶棒の位置と挿入角度が悪いことである。【０００５】  蝶棒の先端と挿入口との位置が悪くなるのは、１．挿入口の広さ（幅×高さ）が小さい。２．挿入口は斜め上から見ると、さらに小さく見える。３．斜め上から見ると挿入口の構成要素である連結柱と下翼が見え難くなる。４．小さい為、目が悪いと遠近感がハッキリしなくなる。５．手が震える。等によるものである。【０００６】  蝶棒を挿入する時、挿入口に対する角度が悪くなるのは、１．スライダーの平面形状の大部分が引手を掴む親指で隠れて、スライダーの向きがわかり難くなる。２．物が小さい為、傾きの度合いがわかり難い。等によるもので、結果的に使用が困難になる。【０００７】  本発明はこれらの欠点をスライダーへの衣服のくい込みが増加しない形で、スライダーの構造変更により解消すると共に、目、手などの機能低下による影響を軽減して、誰もが簡単に使用できるファスナーを提供しようとするものである。
【課題を解決するための手段】
【０００８】  本発明の構造の主な特徴は、スライダーの「連結柱と下翼」または「連結柱と下翼と上翼の一部」を閉じる時に動かす方、即ち、首側に延長して、Ａ．蝶棒の導入部が挿入口側にあること。Ｂ．連結柱と下翼が指で隠れず、どの角度からでも見えて、見える部分が大きいこと。Ｃ．連結柱の側面と下翼から成る角の線が、上翼に隠れずに見えて長いことである。以上により、蝶棒をスライダーに挿入する時の挿入口に対する、位置と角度の悪さによる欠点を解消している。蝶棒を挿入する時の該角度は挿入口に対する向きや傾きを示す角度と、蝶棒の動きを示す進入角度があるが、本発明の効果は両方に及ぶ為、以下、まとめて進入角度と言う。
【発明の効果】
【０００９】  従来品（図２）と比較しながら説明する。従来品（図２）は、挿入口５が概ね四面で構成されている為、蝶棒４１の先端部分を挿入口５に覗かせる位置決め作業は、挿入口５の中程の空間を「従来品の的」Ｐ（図３）として狙い、蝶棒４１の「先端面４１ａまたは連結柱側の側面４１ｂの一部分」を先頭にして、一定の進入角度で突き入れる作業である。【００１０】  本発明（図１）の蝶棒４１の位置決め作業は、導入部を構成する二面「連結柱の側面１３ａ、１３ｂと下翼の表面１２ａ」から成る角の線Ｒ中程の線を「第１実施例の的」Ｑ（図３）として狙い、蝶棒４１の「身体側の平面４１ｃ、先端面４１ａ、連結柱側の側面４１ｂ」の何れかを先頭にして、一定の進入角度で当てる作業である。主として導入部と蝶棒４１が重なる状態を維持しながら、両者を近づける作業である為、蝶棒４１を突き入れる従来の作業に比べ、遠近感を必要としない。また、「第１実施例の的」Ｑがある導入部が大きい為、どの角度からでもよく見えて、傾きがわかり易くなり、蝶棒４１を的に当てる時に先頭にできる部分が、増えたことと合わせて、的に当たる確率が高くなる。蝶棒４１は図２参照。【００１１】  また、角の線Ｒは直線で且つ長い為、向きがわかり易く、蝶棒４１を的に当てる時に、角の線Ｒを目標にすると狙いが付け易く、例え、蝶棒４１の進入が角の線Ｒからずれても、該二面は直角に配置している為、蝶棒４１がどちらかの面に接触後、面上をすべって、角の線Ｒに沿うように位置が決まり、蝶棒４１を前進させると容易に挿入できる。また、これら二面で構成される角は蝶棒４１の傾き（相対的にスライダーの向きと傾き）を蝶棒４１に連なるテープ４２の柔らかさで吸収して、角の線Ｒに沿うように蝶棒４１の位置を決め易くする。【００１２】  図３は図１のスライダーの一部と蝶棒４１の斜視図、蝶棒４１位置決め時の説明上の「従来品の的」Ｐと「第１実施例の的」Ｑ、及び、蝶棒４１を「従来品の的」Ｐと「第１実施例の的」Ｑに向けて、進入、位置決する前の、蝶棒先端面の角４１ｄの位置Ａ〜Ｆを示す点４１Ａ〜Ｆをあらわした説明図で、引手取付け部６、蝶棒４１に連なる部分などは省略している。これらの点から出る細線は立体的位置関係をわかり易くする為のものである。【００１３】  蝶棒４１を位置Ａ〜Ｆの一つから「従来品の的」Ｐと「第１実施例の的」Ｑに向けて進入、位置決めする時のずれを比較すると、従来品は概ね四面で構成された挿入口５中程の空間を「従来品の的」Ｐとして狙い、蝶棒４１を突き入れるが、本発明では該二面から成る角の線Ｒ中程の線を「第１実施例の的」Ｑとして狙い、進入角度がずれても、「従来品の的」Ｐを含め導入部の先端に至る連結柱の側面１３ａ、１３ｂと下翼の表面１２ａに蝶棒４１の一部分が当たると前述のとおり位置が決まる。【００１４】  これは、蝶棒４１の進入角度の許容範囲が大きくなったことを示すものである。特に、位置を示す点４１Ｄ〜Ｆの角度からでは、従来品は位置決めが困難であるのに対して、本発明は前述のように重なる状態を維持しながら近づける作業である為、下翼の表面１２ａと角度のある位置からも容易に位置決めできる。また、「第１実施例の的」Ｑが線として存在する物である為、該空間より狙いを付け易い利点がある。【００１５】  導入部は挿入口１５を大きくしない形で設けている為、衣服の食い込みが増加しないばかりか、衣服の裏側でスライダーの挿入口１５に先行してエレメント４３と衣服の生地を分離する作用があり、衣服の食い込みを減少させるニ次的な効果もある。以上の効果で目、手などの機能低下による影響を軽減して、誰もが簡単に使用できるファスナーを提供できるようになる。
【発明を実施するための最良の形態】
【００１６】  本発明はファスナーの開製品で、スライダーの連結柱３、下翼２、上翼１に関する構造変更によるもので、この他のスライダーの構成要素である引手取り付け部６などと、蝶棒４１、テープ４２、エレメント４３、箱４４などは、従来品のファスナーの開製品（図２）と同様である。また、上翼１と下翼２が、その左右方向の中央で、且つ、首側で連結柱３によって連結されている従来品のスライダーの首側を延長して、上翼１に隠れない蝶棒４１の導入部を設けたものであり、導入部の設け方により幾つかの実施形態がある。【００１７】  製造方法によるコストとデザインとのかねあいで最良の形態が決まるが、本出願では、請求項２を満足して、導入部を設けた物の一例を最良の形態として、第１実施例で図に基づいてさらに説明する。
【第１実施例】
【００１８】  第１実施例は図１、図２で説明する。図２は従来品のファスナー（開製品）の一例を示す斜視図で、本発明に関する要点を説明すると、上翼１と下翼２が連結柱３によって平行に連結され、上翼１と下翼２の間にできる溝８は、連結柱３側で、連結柱３によって左右の二つに分けられ、このうち一方が「エレメント４３Ｂの系入、開放」に専用使用する口（以下、エレメント口４と言う）になり、もう一方が「エレメント４３Ａの系入、開放」と「蝶棒４１の挿入」を兼ねて使用する口である挿入口５になる。
【００１９】  図１は最良の形態を示したスライダーの斜視図で、上記の従来品（図２）を基本形として、「延長部分の連結柱１３Ａ」と、「延長部分の下翼１２Ａ」と、延長部分の連結柱１３Ａの高さを上翼の表面１１ａと同じ位置まで「高くした部分の連結柱１３Ｂ」とで、蝶棒４１の導入部を設けたものである。材質は従来品と同じように金属やプラスチックにする。また、強度の低い材質を使用する場合は、延長部分の長さに応じて、下翼１２の厚さを厚くする。または、延長部分を含め下翼１２の裏側（下翼の表面１２ａの反対側）のふちを厚くする。等の強度対策をする。
【００２０】  図１，３，４，５では説明をわかり易くするため、導入部を構成する延長部分と延長する前の従来品との境界、及び、延長部分の連結柱１３Ａと高くした部分の連結柱１３Ｂの境界を２点鎖線Ｌで示している。連結柱１３を延長後、上翼の表面１１ａと同じ位置まで高くした物に限り、見方を変えると上翼の一部を「延長部分の連結柱１３Ａと同じ平面形状まで延長したこと」になり、これは請求項３に対応することにもなる。図示はしていないが、以下の図も含め、稜線部分には適宜の面取りをする。
【第２実施例】
【００２１】  図４は第２実施例の蝶棒４１の導入部、即ち、従来品（図２）に付加した部分を示す斜視図で、図２で示した従来品を基本形として延長部分の連結柱２３Ａと延長部分の下翼２２Ａで、導入部を設けたものの一例である。導入部以外は実施例１と同じである為、省略する。この例は請求項１に対応している。２点鎖線Ｍは導入部の構成を他の実施例と対比させる為、第１実施例の上翼１１の位置を示すものである。第３実施例の図５についても同様である。
【第３実施例】
【００２２】  図５は第３実施例の蝶棒４１の導入部を示す斜視図で、図２で示した従来品を基本形として延長部分の連結柱３３Ａと延長部分の下翼３２Ａと延長部分の上翼３１Ａとで、導入部を設けたものの一例である。導入部以外は実施例１と同じである為、省略する。この例は請求項３に対応している。
【図面の簡単な説明】
【００２３】
【図１】第１実施例のスライダーの斜視図
【図２】従来品のファスナー（開製品）の蝶棒４１挿入前の斜視図
【図３】図１の一部を使用した蝶棒４１の進入角度の許容範囲説明図
【図４】第２実施例の蝶棒４１の導入部を示す斜視図
【図５】第３実施例の蝶棒４１の導入部を示す斜視図
【符号の説明】
【００２４】  １  従来品の上翼
２  従来品の下翼
３  従来品の連結柱
４  従来品のエレメント口
５  従来品の挿入口
６  引手取付け部
７  引手
８  溝
１１    第１実施例の上翼
１１ａ  第１実施例の上翼の表面
１２    第１実施例の下翼
１２Ａ  第１実施例の延長部分の下翼
１２ａ  延長部分の下翼の表面
１３    第１実施例の連結柱
１３Ａ  第１実施例の延長部分の連結柱
１３ａ  延長部分の連結柱の側面
１３Ｂ  第１実施例の高くした部分の連結柱
１３ｂ  高くした部分の連結柱の側面
１４    第１実施例のエレメント口
１５    第１実施例の挿入口
４１Ａ〜４１Ｆ  第１実施例での蝶棒先端面の角４１ｄの位置Ａ〜Ｆを示す点
Ｐ    従来品の的
Ｑ    第１実施例の的
Ｒ    角の線
Ｌ    境界を示す２点鎖線
Ｍ    対比の為上翼１１の位置を示す２点鎖線
２２Ａ  第２実施例の延長部分の下翼
２３Ａ  第２実施例の延長部分の連結柱
３１Ａ  第３実施例の延長部分の上翼
３２Ａ  第３実施例の延長部分の下翼
３３Ａ  第３実施例の延長部分の連結柱
４１    蝶棒
４１ａ  蝶棒の先端面
４１ｂ  蝶棒の連結柱側の側面
４１ｃ  蝶棒の身体側の平面
４１ｄ  蝶棒の先端面の角
４２    テープ
４３Ａ  エレメント（右・蝶棒側）
４３Ｂ  エレメント（左側）
４４    箱
【図１】
2009273852.tif 000003
【図２】
2009273852.tif 000004
【図３】
2009273852.tif 000005
【図４】
2009273852.tif 000006
【図５】
2009273852.tif 000007